(57)【要約】      （修正有）【課題】運転停止時又は運転開始時のモータによる振動を低減することができる給排型換気装置を提供する。【解決手段】本体２内に、給気風路８と排気風路９それぞれに配置した給気ファン１２と排気ファン１３と、給気ファン１２を駆動する給気用モータ１４と、排気ファン１３を駆動する排気用モータ１５を備え、運転停止時又は運転開始時の振動を低減するために、給気用モータ１４と排気用モータ１５の停止時又は開始時において、制御部１７が給気用モータ１４又は排気用モータ１５どちらか一方ずつ制御することで、起動／停止時に発生する振動を低減する。【選択図】図１
2015152288.tif 000002
【特許請求の範囲】
【請求項１】
室内側吸込口と室内側吐出口と、室外側吸込口と室外側吐出口を設けた本体と、
この本体内に、
室外の空気を前記室外側吸込口から前記室内側吐出口へ連通させる給気風路と、
室内の空気を前記室内側吸込口から前記室外側吐出口へ連通させる排気風路と、
前記給気風路と前記排気風路それぞれに配置した給気用ファンと排気用ファンと、
前記給気用ファンを駆動する給気用モータと、
前記排気用ファンを駆動する排気用モータを備えた給排型換気装置であって、
前記給気用モータ、前記排気用モータを制御する制御部を設け、
前記制御部は、運転停止時に前記排気用モータ又は前記給気用モータのどちらか一方を減速又は停止させた後に、他方を減速又は停止させることを特徴とする給排型換気装置。
【請求項２】
室内側吸込口と室内側吐出口と、室外側吸込口と室外側吐出口を設けた本体と、
この本体内に、
室外の空気を前記室外側吸込口から前記室内側吐出口へ連通させる給気風路と、
室内の空気を前記室内側吸込口から前記室外側吐出口へ連通させる排気風路と、
前記給気風路と前記排気風路それぞれに配置した給気用ファンと排気用ファンと、
前記給気用ファンを駆動する給気用モータと、
前記排気用ファンを駆動する排気用モータを備えた給排型換気装置であって、
前記給気用モータ、前記排気用モータを制御する制御部を設け、
前記制御部は、運転開始時に前記排気用モータ又は前記給気用モータのどちらか一方を起動させた後に、他方を起動させることを特徴とする給排型換気装置。
【請求項３】
給気風路と排気風路の交差部に配置して室外空気と室内空気の熱を交換させる熱交換素子を備え、運転停止時に、前記制御部が前記給気用モータを停止させた後、前記排気用モータを停止させるよう制御する請求項１記載の給排型換気装置。
【請求項４】
前記給気風路と前記排気風路の交差部に配置して室外空気と室内空気の熱を交換させる熱交換素子を備え、運転開始時に、前記制御部が前記排気用モータを起動させた後、前記給気用モータを起動させるよう制御する請求項２記載の給排型換気装置。
【請求項５】
給気風路と排気風路の交差部に配置して室外空気と室内空気の熱を交換させる熱交換素子を備え、運転停止時に、前記制御部が前記排気用モータを停止させた後、前記給気用モータを停止させるよう制御する請求項１記載の給排型換気装置。
【請求項６】
前記給気風路と前記排気風路の交差部に配置して室外空気と室内空気の熱を交換させる熱交換素子を備え、運転開始時に、前記制御部が前記給気用モータを起動させた後、前記排気用モータを起動させるよう制御する請求項２記載の給排型換気装置。
【発明の詳細な説明】
【技術分野】
【０００１】
本発明は、室外から空気を取り入れるとともに、室内の空気を室外へ排出する給排型換気装置に関する。
【背景技術】
【０００２】
従来技術について図４を参照しながら説明する。従来、この機種の給排型装置は、本体１０１内部に給気風路１０２と排気風路１０３と、給気風路１０２内に給気用ファン１０４と給気用モータ１０５と、排気風路１０３内に排気用ファン１０６と排気用モータ１０７を備えた給排型換気装置が知られていた（例えば、特許文献１参照）。
【先行技術文献】
【特許文献】
【０００３】
【特許文献１】特開平４―１３０３５号公報
【発明の概要】
【発明が解決しようとする課題】
【０００４】
このような従来の給排型換気装置は、運転停止時又は運転開始時において給気用モータと排気用モータを同時に停止又は起動する制御を行っているが、２つのモータを同時に停止又は起動を行う場合、モータによる振動が顕著となる課題があった。
【０００５】
本発明は、前記の問題を解決し、給気用モータと排気用モータを有した給排型換気装置において、運転停止時又は運転開始時に、給気用モータと排気用モータのどちらか一方ずつ起動／停止して振動を低減する事を目的とする。
【課題を解決するための手段】
【０００６】
室内側吸込口と室内側吐出口と、室外側吸込口と室外側吐出口を設けた本体と、
この本体内に、
室外の空気を前記室外側吸込口から前記室内側吐出口へ連通させる給気風路と、
室内の空気を前記室内側吸込口から前記室外側吐出口へ連通させる排気風路と、
前記給気風路と前記排気風路それぞれに配置した給気用ファンと排気用ファンと、
前記給気用ファンを駆動する給気用モータと、
前記排気用ファンを駆動する排気用モータを備えた給排型換気装置であって、
前記給気用モータ、前記排気用モータを制御する制御部を設け、
前記制御部は、運転停止時に前記排気用モータ又は前記給気用モータのどちらか一方を減速又は停止させた後に、他方を減速又は停止させるものであり、これにより所期の目的を達成するものである。
【０００７】
また、本発明は室内側吸込口と室内側吐出口と、室外側吸込口と室外側吐出口を設けた本体と、
この本体内に、
室外の空気を前記室外側吸込口から前記室内側吐出口へ連通させる給気風路と、
室内の空気を前記室内側吸込口から前記室外側吐出口へ連通させる排気風路と、
前記給気風路と前記排気風路それぞれに配置した給気用ファンと排気用ファンと、
前記給気用ファンを駆動する給気用モータと、
前記排気用ファンを駆動する排気用モータを備えた給排型換気装置であって、
前記給気用モータ、前記排気用モータを制御する制御部を設け、
前記制御部は、運転開始時に前記排気用モータ又は前記給気用モータのどちらか一方を起動させた後に、他方を起動させるものであり、これにより所期の目的を達成するものである。
【発明の効果】
【０００８】
本発明によれば、１つの本体に給気用ファンを駆動する給気用モータと排気用ファンを駆動する排気用モータを備え、運転停止時に前記給気用モータ又は前記排気用モータのどちらか一方ずつ制御する事で、モータ停止時の振動を低減する給排気型換気装置を提供できる。
【０００９】
また、本発明によれば、運転開始時に給気用モータ又は排気用モータのどちらか一方ずつ制御する事で、モータ起動／停止時の振動を低減する給排気型換気装置を提供できる。
【図面の簡単な説明】
【００１０】
【図１】本発明の実施の形態１、実施の形態２の給排型換気装置の構成模式図
【図２】実施の形態１の給排型換気装置の（ａ）運転停止時の制御フローチャート、（ｂ）運転開始時の制御フローチャート
【図３】実施の形態２の給排型換気装置の（ａ）運転停止時の制御フローチャート、（ｂ）運転開始時の制御フローチャート
【図４】従来の給排型換気装置の構成図
【発明を実施するための形態】
【００１１】
本発明の請求項１記載の給排型換気装置は、室内側吸込口と室内側吐出口と、室外側吸込口と室外側吐出口を設けた本体と、この本体内に、室外の空気を前記室外側吸込口から前記室内側吐出口へ連通させる給気風路と、室内の空気を前記室内側吸込口から前記室外側吐出口へ連通させる排気風路と、前記給気風路と前記排気風路それぞれに配置した給気用ファンと排気用ファンと、前記給気用ファンを駆動する給気用モータと、前記排気用ファンを駆動する排気用モータを備えた給排型換気装置であって、
前記給気用モータ、前記排気用モータを制御する制御部を設け、前記制御部は、運転停止時に前記排気用モータ又は前記給気用モータのどちらか一方を減速又は停止させた後に、他方を減速又は停止させるものである。これにより、モータ停止時の振動を低減する効果を奏する。さらに、モータを一方ずつ制御する事で前記制御部のスイッチング電源に対する負荷を低減する効果を奏する。
【００１２】
また、室内側吸込口と室内側吐出口と、室外側吸込口と室外側吐出口を設けた本体と、この本体内に、室外の空気を前記室外側吸込口から前記室内側吐出口へ連通させる給気風路と、室内の空気を前記室内側吸込口から前記室外側吐出口へ連通させる排気風路と、前記給気風路と前記排気風路それぞれに配置した給気用ファンと排気用ファンと、前記給気用ファンを駆動する給気用モータと、前記排気用ファンを駆動する排気用モータを備えた給排型換気装置であって、
前記給気用モータ、前記排気用モータを制御する制御部を設け、前記制御部は、運転開始時に前記排気用モータ又は前記給気用モータのどちらか一方を起動させた後に、他方を起動させるものである。これにより、モータ起動時の振動を低減する効果を奏する。さらに、モータを一方ずつ制御する事で前記制御部のスイッチング電源に対する負荷を低減する効果を奏する。
【００１３】
また、運転停止時に前記制御部が前記給気用モータを減速又は停止させた後、前記排気用モータを停止させるよう制御することで、室内側吐出口から室内に流入する空気を運転が完全に停止するまで熱交換性能を維持することで不快感を低減する効果を奏する。
【００１４】
また、運転開始時に前記制御部が前記排気用モータを起動させた後、前記給気用モータを起動させるよう制御することで、室外からの給気空気は、排気する空気と熱交換を行ってから室内へ供給されるので、室内側吐出口から室内に流入する空気の熱さや冷たさを低減する効果を奏する。
【００１５】
また、運転停止時に前記制御部が前記給気用モータより先に前記排気用モータを減速又は停止させる事で、室内を正圧に維持し壁面などの隙間から室内へ流入する汚れを防止する効果を奏する。
【００１６】
また、運転開始時に前記制御部が前記排気用モータより先に前記給気用モータを起動させる事で、室内を正圧にし、壁面などの隙間から室内へ流入する汚れを防止する効果を奏する。
以下、本発明の実施の形態について図面を参照しながら説明する。
【００１７】
（実施の形態１）
本発明の実施の形態１の給排型換気装置１は、建物内の天井裏または、側面壁内もしくは床下に設置されるものであり、以下、床下に設置した場合について説明する。
【００１８】
図１に構成を示す。本体２は、直方体の形状をしており、床下に設置されている。
【００１９】
また、本体２の側面３のひとつに室外側吸込口４と室外側吐出口５を有している。この側面３の対向面には室内側吸込口６と室内側吐出口７を有している。
【００２０】
本体２の内部には、室外側吸込口４から導入された外気が室内に室内側吐出口７に連通する給気風路８と、室内側吸込口６から室内の空気を室外側吐出口５連通する排気風路９を形成している。
【００２１】
これら給気風路８と排気風路９は、仕切り板１０、１１によって仕切られている。
【００２２】
また、給気風路８と排気風路９には、それぞれシロッコ型の給気ファン１２と排気ファン１３を設けている。これら給気ファン１２と排気ファン１３は、それぞれ給気用モータ１４と排気用モータ１５に連結している。
【００２３】
また、給気風路８と排気風路９とが交差する位置に室内空気と外気の熱を交換する熱交換素子１６を配置している。この熱交換素子１６は、室内からの排気空気の熱を回収して室外からの給気空気に与える機能を有している。
【００２４】
また、これら給気用モータ１４と排気用モータ１５を制御する制御部１７を備えている。制御部１７の動作について、図２に示すフローチャートを用いて説明する。
【００２５】
図２（ａ）は、本実施の形態における運転停止時の動作を示すフローチャートである。図２（ａ）に示すように、運転停止要求があった場合に、給気用モータ１４と排気用モータ１５を制御する制御部１７は、まず、ＳＴＥＰ１１において給気用モータ１４を減速又は停止させる。
【００２６】
次に、制御部１７はＳＴＥＰ１２において給気用モータ１４が停止した事を確認する。給気用モータ１４が停止したことを確認した後、制御部１７は、ＳＴＥＰ１３で排気用モータ１５を減速又は停止させる。または、ＳＴＥＰ１２では、給気用モータ１４が任意の閾値回転速度まで減速したことを確認し、ＳＴＥＰ１３で、排気用モータ１５を減速又は停止させても良い。
【００２７】
ＳＴＥＰ１４において排気用モータ１５が停止したことを確認した後、制御部１７を停止させることで運転が停止する。
【００２８】
このようにして、モータの停止動作は、分けて行われ、運転停止時のモータによる振動を分散し低減できる。
【００２９】
また、給気用モータ１４又は排気用モータ１５のどちらか一方を停止した場合、熱交換が行われなくなる。そこで、給気用モータ１４を排気用モータ１５より先に停止を行い、室外側吸込口４を介して室内側吐出口７から室内へ流入する空気を止める。このようにして、室外の熱い空気や冷たい空気の流入を阻害し不快感を低減できる。
【００３０】
また、図２（ｂ）は、本実施の形態における運転開始時の動作を示すフローチャートである。図２（ｂ）に示すように、運転開始要求があった場合に、給気用モータ１４と排気用モータ１５を制御する制御部１７は、まず、ＳＴＥＰ２１において排気用モータ１５を起動させる。次に、制御部１７がＳＴＥＰ２２において排気用モータ１５が起動した事を確認する。排気用モータ１５が起動したことを確認した後、ＳＴＥＰ２３において、制御部１７は給気用モータ１４を起動させる。または、ＳＴＥＰ２３では、排気用モータ１５が任意の閾値回転速度まで加速した後、給気用モータ１４を起動させても良い。
【００３１】
ＳＴＥＰ２４において給気用モータ１４が起動した事を確認した後、制御部１７は各種運転の制御を行う。このようにして、モータ起動時の動作が２回に分けられ、運転起動時のモータによる振動を分散し低減できる。
【００３２】
また、運転開始時に制御部１７が排気用モータ１５を起動させた後、給気用モータ１４を起動させるよう制御することで、室外からの給気空気は、室内側吸込口６を介して室外側吐出口５から室外へ排気される空気と熱交換素子１６を通して熱交換が行われた後に、室内へ流入する。従って、室内へ流入する外気の熱さや冷たさを低減することができる。
【００３３】
（実施の形態２）
本発明の第２の実施の形態について、図１、図３を用いて説明する。本実施の形態でも機器の構成は、図１に示す第１の実施の形態と同じであるので、説明を省略する。
【００３４】
第２の実施の形態の特徴的な部分は、図３に示すように、給気用モータ１４を排気用モータ１５より先に停止させ、給気用モータ１４を排気用モータ１５より先に起動する制御である。以下、第２の実施の形態について図３に示すフローチャートを用いて説明する。
【００３５】
図３（ａ）において、運転停止要求があった場合に、給気用モータ１４と排気用モータ１５を制御する制御部１７は、まず、ＳＴＥＰ３１において、排気用モータ１５を減速又は停止させる。
【００３６】
次に、制御部１７は、ＳＴＥＰ３２において、排気用モータ１５が停止したことを確認する。排気用モータ１５が停止した事を確認した後、制御部１７は、ＳＴＥＰ３３において、給気用モータ１４を減速又は停止させる。または、ＳＴＥＰ３２においては、排気用モータ１５が任意の閾値回転速度まで減速したことを確認し、ＳＴＥＰ３３において、給気用モータ１４を減速又は停止させても良い。
【００３７】
ＳＴＥＰ３４において給気用モータ１４が停止したことを確認した後、制御部１７を停止させることで運転が停止する。
【００３８】
このようにして、モータの停止動作は分けて行われ、運転停止時のモータによる振動を分散し低減できる。
【００３９】
また、運転停止時に、給気用モータ１４より先に排気用モータ１５を減速又は停止させる事で、室内を正圧に維持することになる。このように室内を正圧にすることによって、壁面などの隙間から室内へ流入する汚れを防止する効果を奏する。
【００４０】
また、図３（ｂ）  は、本実施の形態における運転開始時の動作を示すフローチャートである。図３（ｂ）に示すように、運転開始要求があった場合に、給気用モータ１４と排気用モータ１５を制御する制御部１７は、まず、ＳＴＥＰ４１において、給気用モータ１４を起動させる。次に、制御部１７がＳＴＥＰ４２において給気用モータ１４が起動した事を確認する。給気用モータ１４が起動したことを確認した後、ＳＴＥＰ４３において、制御部１７は排気用モータ１５を起動させる。または、ＳＴＥＰ４２では、給気用モータ１４が任意の閾値回転速度まで加速した後、排気用モータ１５を起動させても良い。
【００４１】
ＳＴＥＰ４４において排気用モータ１５が起動した事を確認した後、制御部１７は各種運転の制御を行う。このようにして、モータ起動時の動作が２回に分けられ、運転起動時のモータによる振動を分散し低減できる。
【００４２】
また、運転起動時に制御部１７が排気用モータ１５より先に給気用モータ１４を起動させる事で、室内を正圧にし、壁面などの隙間から室内へ流入する汚れを防止する効果を奏する。
【産業上の利用可能性】
【００４３】
本発明にかかる空気調和機は、運転を停止する場合と開始する場合に、モータに動作順を定め制御することで振動を低減するものであり、一般住宅などに用いられる同時給気排気型の空気調和機に有用である。
【符号の説明】
【００４４】
１  給排型換気装置
２  本体
３  側面
４  室外側吸込口
５  室外側吐出口
６  室内側吸込口
７  室内側吐出口
８  給気風路
９  排気風路
１０  仕切り板
１１  仕切り板
１２  給気ファン
１３  排気ファン
１４  給気用モータ
１５  排気用モータ
１６  熱交換素子
１７  制御部
１０１  本体
１０２  給気風路
１０３  排気風路
１０４  給気用ファン
１０５  給気用モータ
１０６  排気用ファン
１０７  排気用モータ
【図１】
2015152288.tif 000003
【図２】
2015152288.tif 000004
【図３】
2015152288.tif 000005
【図４】
2015152288.tif 000006